(57)【特許請求の範囲】
【請求項１】
機械受容器の共鳴を活性化させ、固有受容性刺激を生成するための振動システムであって、ユーザの体を支持するための要素（１２、１３、１４、１５、１６、１７）を備え、前記要素は、項部ゾーン、背部ゾーン、臀部ゾーン、手ゾーン、膝窩ゾーンおよび踵ゾーンを別個に支持するように配置され、それによって前記体を、これらのゾーン内のみかつ半背臥位置で支持するように保ち、背部ゾーン、臀部ゾーン、手ゾーン、膝窩ゾーンおよび踵ゾーンの各々の支持要素には、プログラムされた指令が電子制御ユニット（２２）から発せられたときに制御された振動を前記体に伝達するための振動ユニット（２５、２６、４０、５０、６０、７０）が一つ提供され、前記振動ユニットにより前記支持要素に提供された振動は、他の前記支持要素に伝達することがないことを特徴とする機械受容器の共鳴を活性化させ、固有受容性刺激を生成するための振動システム。
【請求項２】
各々の振動ユニット（２５、２６、４０、５０、６０、７０）は、偏心質量部の回転のための電気モータを備えることを特徴とする請求項１に記載の振動システム。
【請求項３】
各々の振動支持要素は、前記体の対応する部分を支持するための成形されたプレートを備え、前記プレートは、フレーム（１８）上で弾性的に支持され、関連付けられた振動ユニット（２５、２６、４０、５０、６０、７０）が、その下方に固定されることを特徴とする請求項１に記載の振動システム。
【請求項４】
前記背部ゾーンおよび前記臀部ゾーン用の前記要素の前記振動ユニットの前記偏心質量部は、前記体に対して長手方向に向けられた軸（３８、４８）の周りを回転することを特徴とする請求項２に記載の振動システム。
【請求項５】
前記手ゾーン、前記膝窩ゾーン、および前記踵ゾーン用の前記要素の前記振動ユニットの前記偏心質量部は、前記体に対して横断方向に向けられた軸（５８、６８、７８）の周りを回転することを特徴とする請求項２に記載の振動システム。
【請求項６】
前記背部ゾーン用の前記支持要素（１３）は、２つの隣合う表面（２７、２８）を備え、各々には、それ自体の振動ユニット（２５、２６）が提供されることを特徴とする請求項１に記載の振動システム。
【請求項７】
前記２つの表面（２７、２８）は、成形されたプレートによって形成され、前記成形されたプレートは、前記プレートの上部ゾーン（３０）内で遮られ前記２つの表面のための弾性接合部を形成する、長手方向の中央切欠部（２９）に沿って部分的に切断されることを特徴とする請求項６に記載の振動システム。
【請求項８】
前記支持要素の少なくとも一部の他の要素に対する位置は、ユーザの体のさまざまに異なる寸法および釣り合いに適合するように調整され得ることを特徴とする請求項１に記載の振動システム。
【請求項９】
前記位置の調整のために、前記踵ゾーンを支持する前記要素（１７）および前記膝窩ゾーンを支持する前記要素（１６）が、少なくとも前記体の長手方向に移動可能であることを特徴とする請求項８に記載の振動システム。
【請求項１０】
活性化された前記振動に関連付けられた音を発するためのオーディオヘッドホーンを備えることを特徴とする請求項１に記載の振動システム。
【請求項１１】
前記振動の周波数は、２０から１４０Ｈｚの間の範囲であることを特徴とする請求項１に記載の振動システム。
【請求項１２】
前記振動の振幅は、１から４ｍｍの間の範囲であることを特徴とする請求項１に記載の振動システム。
【請求項１３】
前記電子制御ユニットは、少なくとも１つの刺激プログラムを記憶したメモリと、前記振動ユニットのための振動サイクルの持続時間、振幅、および順序を含む前記プログラムと、前記プログラムを前記メモリから選択し、前記選択されたプログラムの前記振動サイクルを前記振動ユニットに与えるために前記プログラムを開始させる指令を入力するための入力手段とを備えることを特徴とする請求項１に記載の振動システム。
【請求項１４】
前記振動サイクルは、前記振動の加速傾斜を含むことを特徴とする請求項１３に記載の振動システム。
【請求項１５】
前記振動サイクルは、０．４秒から２．５秒の間の持続時間で、前記振動の加速傾斜を含むことを特徴とする請求項１４に記載の振動システム。
【請求項１６】
前記加速傾斜は、少なくとも２．５秒で０から４０Ｈｚの傾斜、０．５秒で０から６０Ｈｚの傾斜、０．４秒で０から９０Ｈｚの傾斜、および０．４秒で０から１１０Ｈｚの傾斜から選択されることを特徴とする請求項１５に記載の振動システム。
【請求項１７】
前記振動ユニットは、作動時に、制御された振動周波数および振幅で、前記背部ゾーン、前記臀部ゾーン、前記手ゾーン、前記膝窩ゾーンおよび前記踵ゾーンの振動を引き起こすために制御されることを特徴とする請求項１に記載の振動システム。
【請求項１８】
前記振動の振幅は、１から４ｍｍの間の範囲であることを特徴とする請求項１に記載の振動システム。
【請求項１９】
前記振動の前記振幅は、マイスナー小体の刺激のために１．５ｍｍ、パチニ小体の刺激のために２ｍｍであることを特徴とする請求項１８に記載の振動システム。
【請求項２０】
マイスナー小体の刺激のために、前記振動の周波数は、２０から６０Ｈｚの間にあり、かつ／またはパチニ小体の刺激のために、前記振動の周波数は、９０から１１０Ｈｚの間にあることを特徴とする請求項１に記載の振動システム。
【発明の詳細な説明】
【技術分野】
【０００１】
本発明は、身体的刺激のための革新的な振動システムおよび方法に関する。
【背景技術】
【０００２】
文献において、振動による皮膚機械受容器の刺激の結果生じる、事実上肉体的にも心理学的にも有益なさまざまな効果が知られている。しかし、このタイプの刺激は、実際には体全体にわたって実施するのが幾分難しく、その理由は、体と、たとえば、椅子、長椅子、またはベッドなどの従来の支持体との間の身体的接触が、適切な刺激振動の生成および伝達と、ユーザによって知覚される体感とを妨げるためである。第１の場合、実際、体が横たわっている点によって規定される固定点は、刺激されず、それとは反対に、刺激に対して、体の他の部分内で生み出そうとする減衰効果を及ぼすことがある。第２の場合、（一般的には、知られている方法を用いた振動によって刺激され得るゾーンよりかなり大きい領域を覆う）支持点上の接触の感覚は、ユーザの注意を全身化し、振動によって生成される皮膚機械受容器の刺激を減少させ、またはさらには全体的に解消し、数多くのこれらの機械受容器は、体の特定の良好に定められた部分内にのみ存在する。
【０００３】
刺激を体の全体にわたって及ぼす何らかの実践的な試みは、不揃いかつ均一でない結果を生成している。
【０００４】
特許文献１は、たとえば、ベッドのセクション内に振動を生成するための装置を備えたベッドを説明している。これは、全身化された振動を生成するが、この振動は、ユーザの体にわたって適正に制御され得ない。
【０００５】
特許文献２は、たとえば、ベッドのマットレスの下方、椅子上、またはクッションの下方に置かれる汎用の振動装置を説明する。この振動効果は、より一層制御不能であり、消散される。
【０００６】
これらのシステムは、体に与えられた振動を適切かつ正確なやり方で制御できることには効果的ではない。
【０００７】
振動が効果的な刺激を提供するために、これは、実際、刺激される機械受容器に応じて、所与の周波数で、正確な振幅で、特有の加速度を用いて、所与の時間の間および良好に定められたゾーン内で投与されなければならないことが見出されている。実際、これらを組み合わせてのみ、述べられたように、与えられたパラメータの所与の組にのみ感受性がある、皮膚機械受容器の理想的な活性化を確実にすることができる。しかし、これに提案される実践的な実施形態は、これらのパラメータの完全かつ正確な調整を可能にせず、したがって得られる結果は、しばしば限定される。
【０００８】
ユーザの体をさまざまな方法で支えるためのシステムもまた、提案されている。しかし、これらは、制御された振動を与えることを取り扱わず、快適かつ弛緩させる支持システムのみを確実にする。たとえば、特許文献３、特許文献４、および特許文献５は、ユーザが、筋肉を弛緩させるようにその上に横になることができる支持装置を説明する。
【先行技術文献】
【特許文献】
【０００９】
【特許文献１】米国特許出願公開第２００９／０１３９０２９号明細書
【特許文献２】米国特許第６２１７５３３号明細書
【特許文献３】国際公開第２００８／１１７３３０号パンフレット
【特許文献４】国際公開第２００６／０７９３２７号パンフレット
【特許文献５】ＤＥ１０３５３７１４
【発明の概要】
【発明が解決しようとする課題】
【００１０】
本発明の全般的な目的は、上述した問題を回避し、振動による皮膚機械受容器のより正確で、広範な、可変の効果的な刺激を可能にする、振動システムおよび方法を提供することである。
【課題を解決するための手段】
【００１１】
本発明を鑑みて、考えられた発想は、本発明による、身体的刺激のための振動システムであって、ユーザの体を支持するための要素を備え、この要素は、項部ゾーン、背部ゾーン、臀部ゾーン、手ゾーン、膝窩ゾーン、および踵ゾーンを別個に支持するように配置され、それによって体を、これらのゾーン内のみかつ半背臥位置で支持するように保ち、各々の支持要素には、場合によって項部ゾーン用の支持要素を除き、プログラムされた指令が電子制御ユニットから発せられたときに制御された振動を体に伝達するための振動ユニットが提供される、振動システムを提供することである。
【００１２】
支持要素は、剛性材料から作製され、それによって信号波の完璧な伝達を可能にする。
【００１３】
さらに本発明によれば、この発想は、振動による身体的刺激のためにユーザの体内に局所化された振動を生成するための方法であって、ユーザの体を支持体上の項部ゾーン、背部−腰部ゾーン、臀部ゾーン、手ゾーン、膝窩ゾーン、および踵ゾーン内でのみ支えるステップであって、それによって体を半背臥位置で支持するように保ち、作動時に、場合によって項部ゾーン内の支持体を除き、これらの支持体の振動を制御された振動周波数および振幅で引き起こす、支えるステップを含む方法を提供するように考えられる。
【００１４】
有利には、以下で明確にされるように、支持ゾーンおよび作動機構は、次の通りである。
・アキレス腱の皮膚機械受容器および受容器を刺激するために踵を振動させる支持体。
・腱構造および靭帯構造の皮膚機械受容器を刺激するために膝窩（脂肪分を有さないゾーン）を振動させる支持体。
・数多くの皮膚機械受容器が存在する幅広い領域を刺激するために臀部を振動させる支持体。
・数多くの皮膚機械受容器が存在する手の掌を振動させる支持体。
・皮膚機械受容器および傍脊椎筋肉を刺激するために背部および腰部を振動させる支持体。
【００１５】
本発明の革新的原理および従来技術と比較した利点をより明確に示すために、これらの原理を適用する実施形態の例が、添付の図の助けのもと以下に説明される。
【図面の簡単な説明】
【００１６】
【図１】本発明による振動システムの斜視図である。
【図２】図１によるシステムの構造上に横たわる体の概略側面図である。
【図３】図１によるシステムの側面図である。
【図４】図１によるシステムの、下方からの斜視図である。
【図５】図１によるシステム内の背部ゾーンを支持するための要素の概略の長手方向断面図である。
【図６】図１による、システム内の臀部を支持するための要素の概略の長手方向断面図である。
【図７】図１による、システム内の踵を支持するための要素の対の概略横断面図である。
【発明を実施するための形態】
【００１７】
図を参照すれば、図１は、本発明によって提供される、１０によって全体的に示される振動システムの斜視図を概略的に示す。このシステムは、有利には、実施される固有受容性共鳴による身体的刺激を可能にし、これは、以下で明確にされる。
【００１８】
このシステム１０は、体を支持するための構造１１を備え、構造１１には、項部（要素１２）、背部ゾーン（背部および腰部ゾーンを意味すると理解される、要素１３）、臀部（要素１４）、手（要素１５）、膝窩ゾーン（要素１６）、および踵（要素１７）を支持するように配置された、別個の支持要素が設けられる。
【００１９】
構造の要素すべては、それらの相対位置をこれもまた維持する、地面上に横たわるフレーム１８によって支持される。有利には、フレームは、支持要素用の支持ブラケットを提供し、この支持ブラケットは、ユーザの体の寸法および比率に変化が存在するときでも、上述された体ゾーンの正しい支持を確実にするように適切に調整され得る。有利には、たとえば踵用の支持要素および／または膝窩ゾーン用の支持要素の少なくとも長手方向位置が、調整され得る。
【００２０】
特に、長手方向バーまたはレール１９が、膝のくぼみ用の支持要素１６および踵用の支持要素１７をそれぞれ支持するための直立部２０、２１を摺動式に支持および固定するために設けられ得る。この方法では、要素１６および１７の互いに対する、および要素１４によって形成されたシートに対する水平距離を調整することが可能である。同様に、たとえば、項部を支持する要素１２を調整するための手段もまた、提供され得る。
【００２１】
ユーザの体によってとられる半背臥位置が、図２に概略的に示される。
【００２２】
体の傾きは、拮抗筋および作動筋の両方をほぼ完全に弛緩させて支持体上に体重を分配するようなものである。したがって、いかなる筋肉の収縮も回避され、動脈、静脈、およびリンパの循環のより良好な分配が、可能にされる。
【００２３】
説明される構造は、体を関節接合部に正確に対応する１０の所定の接触点によって支持することを可能にする。他方では、ふくらはぎ筋肉、ふともも、腰領域、肩部の領域および頸部領域内でのいかなる接触も回避され、それによって、皮膚およびリンパ循環および筋肉量のいかなる形態の圧縮も防止する。
【００２４】
このタイプの支持構造体が、（いかなる振動または移動も有さない弛緩目的のために）特許文献３に説明される。
【００２５】
しかし、このタイプの支持構造は、驚くべきことに、革新的な振動システムと共に、さまざまな点に置かれ、ユーザの体全体に効果を及ぼす支持体に局所的振動を与えるための振動システムを提供するのに適切であることが見出されており、これは、極めて驚くべき予想外の結果を伴って説明される。
【００２６】
本発明の原理によれば、支持要素１３、１４、１５、１６、１７には、中央制御ユニット２２に連結された適切な振動ユニットが提供される。
【００２７】
項部用の支持要素１２は、有利には、その代わりに受動タイプのものであり、すなわち振動装置を有さないものであり、それによって、煩わしくなり得る頸部ゾーンの近傍の刺激を回避する。
【００２８】
振動の投与は、体が人間工学支持構造と接触する１０の点で実施される。本質的には、これらの点は、有利には、手の２つの掌、背部−腰部領域内の湾曲部の右手部分および左手部分、膝窩、および２つのアキレス腱ゾーンに対応する。
【００２９】
好ましくは、オーディオヘッドホーン２３もまた提供され、オーディオヘッドホーン２３は、オーディオ信号を受け取るために制御ユニットに接続され、これは以下で説明される。
【００３０】
この制御ユニットは、有利には、それ自体、電気モータの作動および同期オーディオ音の放出に合わせて適切にプログラムされたマイクロプロセッサシステムを備えて形成されてよく、これは、以下で説明される。
【００３１】
制御ユニット２２はまた、たとえば、システム１０のプログラムおよび機能を選択するための遠隔制御ユニット２４（ケーブルまたは無線）などの入力手段２４を備えることもできる。
【００３２】
図３および４は、支持要素に振動を付与する装置をより明確に示す。特に、支持要素は、（体の所与の部分に対してほぼ均一な支持体表面を形成するように適切に成形された）上部プレートを備え、その下方には、適切な振動をプレートに付与する適切な振動ユニットを備える。
【００３３】
有利には、さまざまな振動ユニットは、互いにほぼ同一である構造を有し、この構造は、好ましくは、支持要素のプレートの長さおよびその位置に応じて、その主要軸を支持構造に対して長手方向または横断方向にして配向される。
【００３４】
好ましくは、支持要素の各々のプレートは、（弾性材料から作製された適切な耐振動ブロックによって）フレーム１８上に弾性的に支持され、それによって振動をフレームに伝達することなく振動し、したがって、低周波数の調和波の形成を防止することができる。対応する振動ユニットは、その代わりに、そのプレートに剛性的に固定され、有利には、電気モータが内部に提供され、電気モータは、適切な質量部を作動させてこれをユニットの主要軸の周りで偏心的に回転させる。このようにして、偏心的に回転する質量部は、それぞれのプレートに、交互の波状の振動を付与し、その周波数は、モータの回転速度に応じて決まり、制御ユニット２２によって制御される。制御ユニットは、モータの回転の角度および前方または後方のモータの回転方向を制御することにより、振動の振幅を幅広い値の範囲内で容易に調整することができる。
【００３５】
有利には、振動ユニットのモータは、ブラシレスタイプのものでよく、それによって低い慣性を有し、制御ユニット２２の作動制御の下、速度および回転方向のより迅速な変動を可能にする。
【００３６】
さらに、より良好な制御のために、各々のモータは、その移動の、制御ユニット２２によるフィードバック制御のために適切なエンコーダを備えることができる。
【００３７】
（有利には低電圧である）モータは、制御された振幅、加速度、および正確な周波数で振動ユニットの振動を生成するように容易に作動されてよく、したがって、刺激され、共鳴にかけられる固有受容性系に応じて、その系用のさまざまな作動プログラムを得ることが可能である。
【００３８】
有利には、背部（または背部−腰部）支持要素は、２つの表面、すなわち、それぞれの振動ユニット２５および２６によって独立的に振動する右手表面および左手表面に分割される。弾性および頑強性の理由のため、２つの表面が、いずれの場合も、中央で適切な切欠部によって部分的に分割された単一のプレートを備えて形成される場合有利であることが見出されている。
【００３９】
図１に明確に見られ得るように、支持要素１３のプレートは、したがって、有利には、細い切欠部２９によってその長手方向長さのほとんどにわたって分離された右手部分２７および左手部分２８に分割され、細い切欠部２９は、２つの部分２７および２８が相互連結されたままである上部ゾーン３０内で終端する。相互連結する部分は、２つの部分から振動的に十分独立し、ただしそれと同時に体の背部の適切な強度の支持を確実にするのに十分な小ささで設計される。
【００４０】
可能性のある破損を防止するために、切欠部２９は、有利には、ゾーン３０の近傍の円形穴で終端する。
【００４１】
図４にも示され得るように、支持要素１３を形成する２つの部分は、有利には、剛性のＵ字形状要素３１によってフレーム上に支持され、このときＵ字のアームは長手方向に下方向に、要素１３の支持表面に対して平行に向けられる。各々の部分２７および２８は、適切には、Ｕ字のそれぞれの側に、その間に弾性材料から作製されたブロックを配置して固定され、それによって部分２７および２８が、振動をフレームに伝達することなく振動することを可能にする。
【００４２】
図５は、要素１３の部分２７用の振動ユニット２５をより詳細に示す（部分２８のための他方のユニットは同一である）。この図はまた、プレートをフレーム上に支持するための弾性ブロック（３２によって示される）の１つを示す。
【００４３】
ここに示される好ましい構造では、振動ユニットは、それぞれの部分２７の下方にねじ３４および３５によって連結された剛性ハウジング３３を備える。有利には、円筒状であるハウジングは、電気モータ３６を含み、その出力シャフトの偏心質量部３７は、プレート２７および本体の長手方向軸に対してほぼ平行である軸３８の周りを回転するように装着される。有利には、軸受は、モータに関連して、回転する質量部３７の反対側でシャフトを支持し、それによってシャフトの望ましくない屈曲を防止し、揺れの最適な制御を確実にする。
【００４４】
図４に明確に見られ得るように、臀部用の２つの支持要素１４は、適切な横断方向距離を離して一緒に結合され、各々の要素は、対応する振動ユニット４０を下方に備えた成形されたプレート３９を備える。
【００４５】
これもまた、２つの要素１４のうち１つ（他の１つは、対称的に同一である）に対して図６により詳細に見られ得るように、プレート３９は、適切な弾性スペーサ（その１つが図６の４１によって示される）をその間に配置してフレームに弾性的に連結される。この目的のために、フレームには、有利には、プレート３９および本体の長手方向軸に対してほぼ平行であるＵ字のアームを有するＵ字形状要素４２が提供され、このとき各々のプレート３９は、Ｕ字のそれぞれの側で支持される。
【００４６】
これもまた図６に見られ得るように、振動ユニット４０は、有利には、ねじ４４および４５によってそれぞれのプレート３９の下方に連結された剛性のハウジング４３を備える。有利には円筒状であるハウジングは、電気モータ４６を含み、その出力シャフト上には、偏心質量部４７が、プレート、および本体の長手方向軸に対してほぼ平行である軸４８の周りを回転するように装着される。有利には、軸受は、モータに関連して、回転質量部４７の反対側でシャフトを支持し、それによってシャフトの望ましくない屈曲を防止する。
【００４７】
図７は、支持要素１６の可能な有利な実施形態をより詳細に示し、これらの支持要素１６は、適切な横方向距離を離して一緒に結合される。これらの要素の各々は、それぞれの成形されたプレート４９を備え、その下方には、それぞれの振動ユニット５０が固定される。プレートは、フレームの横断方向バー５２上に（ここでも適切な弾性スペーサによって）弾性的に固定され、横断方向バーは、さらに、支持要素２０の上端部上に支持される。
【００４８】
各々の振動ユニット５０は、有利には略円筒状である剛性ハウジング５３を備え、ねじ５４および５５によってそれぞれのプレート４９の下方に連結され、電気モータ５６を含み、その出力シャフト上には、プレートに対してほぼ平行であり、本体の長手方向軸に対して横断方向である軸５８の周りを回転するように装着される。有利には、軸受は、モータに関連して、回転質量部５７の反対側でシャフトを支持し、それによってシャフトの望ましくない屈曲を防止する。
【００４９】
図７にこれも見られ得るように、２つの支持要素１６は、構造の垂直で長手方向の平面に対してほぼ互いの鏡像として形成される。
【００５０】
再度図４を参照すると、踵ゾーン用の２つの支持要素１７は、適切な横断方向距離を離して一緒に結合され、各々は、対応する振動ユニット６０を下方に備えた成形されたプレート５９を備える。有利には、横断方向バー６２の端部において支持される要素１７は、プレートの形状および相対位置以外は上記で説明された要素１６にほぼ類似しており、したがって、これらは、当業者に容易に想像され得るため、これ以上説明されない。要素１６に類似するやり方で、要素１７の回転質量部は、プレート５９に対して平行であり、体の長手方向長さに対して横断方向である軸６８の周りを回転する。
【００５１】
好ましくは、手用の支持要素１５もまた、その（図４の６９によって示される）上部プレートの形状以外は、単一の要素１６または１７に類似し（類似するように考えられ）、したがってここでは詳細には説明されない。これらの要素１５は、好ましくは、臀部を支持する要素１４を支持するＵ字４２の側部で別のフレーム部分７２によって支持され、その端部には、成形されたプレート６９が、弾性的に支持される。
【００５２】
それぞれの振動ユニット７０は、プレート６９の下方に固定され、このとき振動質量部の回転の軸７８は、プレートに直接的に平行でありかつ体に対して横断方向である。
【００５３】
有利には、偏心質量部の回転速度は、有用には、刺激される機械受容器およびそこから得られる効果に応じて１５００から６０００ｒｐｍの間の範囲であることが見出されている。さらに、単一の偏心質量部は、有利には、１０から２５グラムの間、好ましくは、約１５から１８グラム（特に、約１５．４７ｇの有効偏心質量部を有するものにつき約１７．２３ｇ）の重量を有することができる。
【００５４】
有利には、偏心質量部が、１０から２０ｍｍの間の直径、好ましくは約１４ｍｍの直径を有する場合が好ましくなることも見出されており、このとき、軸周りの回転は、その幾何学軸に対して３から８ｍｍの間（特に約４．５ｍｍ）だけ変位される。偏心質量部の中心は、有利には、偏心質量部の幾何学軸から４から７ｍｍの間（特に、約５．７５ｍｍ）のところにあり得る。
【００５５】
振動システムが上記で説明された支持構造内に分配された状態で、プログラムされた振動サイクルを与えることが可能であることが見出されており、その刺激効果は、機械受容器が中枢神経系に送り輸出ゾーン（駆動効果）に戻す信号を介して、支持点に対応する小さい局所ゾーンだけでなく体全体に伝達される。また、振動ユニットの特有の構造は、その位置および配向と共に、その簡易性に関わらず驚くべきことに効果があり、たとえば、全体的効果を損なう調和振動を防止することも見出されている。また、振動部分のこの構造は、振動プログラムを実装することができることに有利であることも見出されており、この振動プログラムは、性質上複雑になることもあり、好ましくは、外受容性の固有受容を用いて、同期化された変調およびヘッドホーンを介して伝達された音と同期化される。
【００５６】
説明されるシステムを用いて実施される固有受容性刺激は、刺激された機械受容器の自己共鳴により、ほとんど即座に効果を生成し、このとき、ユーザの体の下方に分配された他の受動的接触および支持ゾーンの存在下に起こる干渉および減衰は有さない。
【００５７】
体を支持するプレートのこの戦略的位置は、複数の限局性振動の作動に最も適切であることが見出されており、この限局性振動は、駆動効果による皮膚機械受容器の刺激を介して、筋肉鎖および人間の体内の他の組織の複数の点に作用する。
【００５８】
本発明による構造は、周波数、特に加速傾斜の容易な制御を可能にし、これは、これもまた比較的小さい振幅での振動によって、寄生性の調和効果を創出せず、また体構造内の侵襲性の振動効果を有さずに所定の点において正確な作用を可能にする。
【００５９】
説明されたシステムにより、有利には、これは、困難を有することなく、振動の周波数制御を１５から５０Ｈｚの間、特に２０から１４０Ｈｚの間内で得て、それによって、幅広い刺激効果を得ることも可能である。たとえば、事前選択されたプログラムに応じて、また、達成される目的に応じて、いわゆるマイスナー小体のさまざまに異なる刺激反応を生成することを目的にした、所望の目的に応じて２０から６０Ｈｚの間の周波数を有する周波数、またはいわゆるパチニ小体の共鳴を生成することを目的にした、所望の目的に応じて９０から１１０Ｈｚの周波数を有する周波数も容易に生成することが可能である。
【００６０】
さらに、振動のさまざまな振幅（たとえば１から４ｍｍの範囲）は、所望の刺激効果（たとえば、マイスナー小体の刺激に対して１．５ｍｍおよびパチニ小体の刺激に対して２ｍｍの領域）に適合するように容易に得られ得る。
【００６１】
本発明による構造はまた、加速傾斜を幅広い範囲の値内で制御するのに特に適していることも証明している。たとえば、以下の傾斜が有用であると見出されている：マイスナー小体の機械的振動に最初に適合するために２．５秒で０から４０Ｈｚの傾斜、マイスナー機械受容器の共鳴を活性化させるために０．５秒で０から４０Ｈｚの傾斜、パチニ機械受容器の共鳴を活性化させるために０．４秒で０から９０Ｈｚまたは０から１１０Ｈｚの傾斜。
【００６２】
また、本発明による構造を用いて、皮膚組織上に作用することが可能であるが、モータのサイズおよび偏心質量部の限定された揺れにより、体のより深くに位置する層内の振動効果を排除することにも留意されたい。この振動は、固有受容性に最も敏感である点に分配されるため、これは、皮膚機械容器の特有の包括的な活性化因子になるとみなされてよく、このとき、内側に位置する体部分内に望ましくない振動効果を生成することはない。応力作用が活性化される制御された領域は、さまざまに異なる結果のためにさまざまな機械受容器の特有の「活性化」を可能にする。
【００６３】
これらの小体の活性化は、たとえば、脳ゾーン、特にいわゆるミラーニューロンとも呼ばれる高い内受容性を有するニューロンを刺激する特性を有する。
【００６４】
マイスナー機械受容器の全体的刺激における、第１の期間中にすでに得られた最も明白な結果は、完全な筋肉再分極、すなわち、一般的な「浮遊」感覚としてユーザによって知覚される、筋肉の完璧な弛緩である。この「浮遊」効果は、快感の強力な感覚をすぐに発生させ、刺激された効果であるだけでなく、神経筋接合部のシナプスの阻害により、体の知覚からの完全分離を示すものである。
【００６５】
説明されたシステムによって、これに関連付けられたさまざまな作動可能性を用いて得られ得る利益の例は、骨格姿勢の再形成、心理学的および身体的弛緩、筋肉弛緩、筋肉の強化、筋緊張における増大、応力からの緩和、増大された創出能力、改良されたスポーツパフォーマンス、パフォーマンス後の緩和、筋肉の脱収縮、背痛の軽減、関節痛の低減、および改良されたリンパ、静脈、および動脈の循環である。
【００６６】
制御ユニットは、そのメモリ内に、遠隔制御などの入力手段を用いて選択され得るさまざまなプログラムを含むことができる。さらなるプログラムが、知られている適切なデータおよびプログラム入力インターフェース（たとえば、ＳＤカードリーダユニット、ＵＳＢペンなど）によって、必要に応じて記憶され得る。
【００６７】
制御ユニット内に記憶されたプログラムは、たとえば、各々が、１０から２０分の間、特に１２から１５分の間の合計持続時間を有する。特有の効果に対する所与の周波数における振動の持続時間は、たとえば、特定の周波数における１つの振動サイクルと別のサイクルとの間に中断を有する、または特定の周波数におけるサイクルを、異なる効果のための異なる周波数の他のサイクルに組み入れるなどにより、プログラム全体より短くなることができる。
【００６８】
しかし、振動の利益は、耐性反応が始まる前に、これが少なくとも８分の最小の持続時間の間、好ましくは少なくとも１０分、ただし２０より長くならず、好ましくは１５分より長くならない間投与されるときに最大限になることに留意されたい。
【００６９】
有利には、この方法の適用は、聴覚の外受容性刺激を含む固有受容性の全体的関与を利用する。振動と同期化された誘導声および高調和変調は、円形思考パターンおよび負の感情状態の減衰の結果、治療に委ねることを促進させる。
【００７０】
音録音は、治療およびさまざまな作動ステップ中にユーザに指示することの両方に有用になり得る。制御ユニットは、音および声を（たとえばオーディオファイルとして、または合成された効果として）記憶することができ、これらは、次いで、制御ユニットによって実施されるプログラムに応じて、ヘッドホーンによって伝達され、有用には、支持体の振動プログラムと同期化される。
【００７１】
有利には、１つの（または各々の）プログラムに対して、制御ユニットは、そのメモリの１つ内に、特定のプログラムに関連付けられた適切な加速傾斜、時間、振幅、周波数などに関連するデータを備えた１または複数の表を記憶する。プログラムの実行中、制御ユニットは、したがって、プログラムされたサイクル全体を実装するためにこのデータを適切な間隔で連続的に検索するだけでよい。
【００７２】
特に、各々のモータに関して、以下がプログラムされ得る：生成される機械的周波数、偏心質量部が回転しなければならない振幅、ゼロから所望の周波数に到達する加速傾斜、および投与の持続時間。さまざまなモータの組み合わされたまたは別個の作用は、達成される目的（再分極、筋肉強化、筋緊張の増大など）に応じて決定される。
【００７３】
特有のプログラムの実施のためのさまざまなパラメータのプログラミングは、別個の端末（たとえば、パーソナルコンピュータ）上で実施され、その後制御ユニットに伝送されてよく、または（適切には、入力および出力のインターフェースが提供された）遠隔制御自体が、使用されてよく、これは、当業者によって想像され得るものである。
【００７４】
この時点では、所定の目的がどのように達成されているかが明確である。本発明によるシステムおよび方法を用いて、所望の効果を結果として伴う皮膚機械受容器の刺激は、極めて正確かつプログラムされたやり方で効果的に与えられ得る。
【００７５】
明確には、本発明の革新的原理を適用する実施形態の上記の説明は、これらの革新的原理の例として提供され、したがって、本明細書において特許請求された権利の範囲を限定するものとしてみなされてはならない。たとえば、システムには、より複雑な制御およびプログラミングユニットまたは別のモータが装備されてよく、また、他のユーザインターフェースが追加されてよい。たとえば、腹筋、ふくらはぎ、大腿四頭筋など上の帯具に与えられた振動ユニットが、使用されてよい。特に、この方法では、回転質量部を備えたさらに６つのモータが追加されてよい。
【図１】
0006329968.tif 000002
【図２】
0006329968.tif 000003
【図３】
0006329968.tif 000004
【図４】
0006329968.tif 000005
【図５】
0006329968.tif 000006
【図６】
0006329968.tif 000007
【図７】
0006329968.tif 000008